(57)【要約】      （修正有）【課題】磁気ディスクの回転に伴って発生する空気流によって生じる磁気ヘッドの風乱振動をスポイラで抑えると共に、スポイラの下流側に流入する塵埃を減らす。【解決手段】磁気ディスク３０ａ〜３０ｅに対面する翼１５ａ〜１５ｄと該翼１５ａ〜１５ｄの支持部１６を備えたスポイラ１５が、ヘッド・スタック・アセンブリ４に対して磁気ディスク３０ａ〜３０ｅの回転に伴う空気流の上流側に配置されている。また、翼１５ａ〜１５ｄは、磁気ディスク３０ａ〜３０ｅの外周方向からスピンドル軸７方向に向かって翼幅が狭まるように延びると共に、翼長さが磁気ディスク３０ａ〜３０ｅの外周に位置する部位３０１からスピンドル軸７方向に向かって２／３以内の範囲において、翼幅が磁気ディスク３０ａ〜３０ｅの円周長の２．７％〜２．９％の範囲で形成されている。【選択図】図１
2008077700.tif 000002
【特許請求の範囲】
【請求項１】
回転円板型記憶装置であって、
スピンドル軸を中心にして回転する回転円板形記録媒体と、
ピボット軸を中心に回動するヘッド・スタック・アセンブリと、
前記回転円板形記録媒体に対面する翼と該翼の支持部を備え、前記ヘッド・スタック・アセンブリに対して前記回転円板形記録媒体の回転に伴う空気流の上流側に配置され、前記翼は、前記回転円板形記録媒体の外周側から前記スピンドル軸に向かって翼幅が狭まるように延びると共に、前記回転円板形記録媒体の外周に位置する部位において前記翼幅が前記回転円板形記録媒体の円周長の２．７％〜２．９％の範囲で形成されたスポイラと
を有する回転円板型記憶装置。
【請求項２】
前記回転円板形記録媒体の外周の一部に沿って配置されたシュラウドを有し、前記スポイラが前記シュラウドの下流側と前記ヘッド・スタック・アセンブリとの間に配置された請求項１記載の回転円板型記憶装置。
【請求項３】
前記スポイラの前記翼は、前記回転円板形記録媒体の外周側から前記スピンドル軸に向かって上流側の端部がほぼ直線で延び下流側の端部が前記上流側の端部方向に漸次狭まるように延びて形成された請求項１記載の回転円板型記憶装置。
【請求項４】
前記スポイラの前記翼は、断面が流線形に形成された請求項１記載の回転円板型記憶装置。
【請求項５】
前記スポイラの前記翼は、上流側の前縁が丸みを持った形状に形成された請求項４記載の回転円板型記憶装置。
【請求項６】
前記スポイラの前記翼の表面に、凹凸形状を設けた請求項１記載の回転円板型記憶装置。
【請求項７】
回転円板型記憶装置であって、
スピンドル軸を中心にして回転する回転円板形記録媒体と、
ピボット軸を中心に回動するヘッド・スタック・アセンブリと、
前記回転円板形記録媒体に対面する翼と該翼の支持部を備え、前記ヘッド・スタック・アセンブリに対して前記回転円板形記録媒体の回転に伴う空気流の上流側に配置され、前記翼は、前記回転円板形記録媒体の外周側から前記スピンドル軸に向かって翼幅が狭まるように延びると共に、翼長さが前記回転円板形記録媒体の外周に位置する部位から前記スピンドル軸に向かって２／３までの範囲の各部位において、対応する前記回転円板形記録媒体の円周長に対する翼幅の割合がほぼ一定に形成されたスポイラと
を有する回転円板型記憶装置。
【請求項８】
前記対応する前記回転円板形記録媒体の円周長に対する翼幅の割合が２．８％±０．１％である請求項７記載の回転円板型記憶装置。
【請求項９】
回転円板型記憶装置であって、
スピンドル軸を中心に回転する回転円板形記録媒体と、
ピボット軸を中心に回動するヘッド・スタック・アセンブリと、
前記回転円板形記録媒体に対面する翼と該翼の支持部を備え、前記ヘッド・スタック・アセンブリに対して前記回転円板形記録媒体の回転に伴う空気流の上流側に配置されたスポイラと、
前記スポイラの下流側と、前記ヘッド・スタック・アセンブリとの間に前記回転円板形記録媒体の外周に沿って設けられたフィルタと
を有する回転円板型記憶装置。
【請求項１０】
前記フィルタは前記スポイラの前記支持部に取り付けられた請求項９記載の回転円板型記憶装置。
【請求項１１】
前記スポイラと前記ヘッド・スタック・アセンブリとの間において、前記回転円板形記録媒体の外周に沿って配置された隔壁を有する請求項９記載の回転円板型記憶装置。
【請求項１２】
前記隔壁が前記スポイラの前記支持部と一体に形成された請求項１１記載の回転円板型記憶装置。
【請求項１３】
前記スポイラの前記翼は、ディスク・エンクロージャに回転可能に設けられ、前記回転円板形記録媒体が停止時又は起動時には当該回転円板形記録媒体上から退避可能な構造である請求項９記載の回転円板型記憶装置。
【請求項１４】
前記回転円板形記録媒体が複数積層されている場合には、前記スポイラの前記翼は前記複数の回転円板形記録媒体のそれぞれの間にのみ配置される請求項９記載の回転円板型記憶装置。
【請求項１５】
回転円板型記憶装置であって、
スピンドル軸を中心に回転する回転円板形記録媒体と、
ピボット軸を中心に回動するヘッド・スタック・アセンブリと、
前記回転円板形記録媒体に対面する翼と該翼の支持部を備え、前記ヘッド・スタック・アセンブリに対して前記回転円板形記録媒体の回転に伴う空気流の上流側に配置されたスポイラと、
前記空気流の一部を前記スポイラの上流側から下流側に導く空気導入ガイドと
を有する回転円板型記憶装置。
【請求項１６】
前記回転円板形記録媒体の外周の一部に沿って配置されたシュラウドを有し、前記スポイラが前記シュラウドの下流側と前記ヘッド・スタック・アセンブリとの間に配置された請求項１５記載の回転円板型記憶装置。
【請求項１７】
前記空気導入ガイドは、前記支持部と共に流路を形成する壁と前記スポイラの上流側近くに設けられた導入口と前記スポイラの下流側近くに設けられた排出口とを含む請求項１５記載の回転円板型記憶装置。
【請求項１８】
前記スポイラと前記ヘッド・スタック・アセンブリとの間に配置され、前記回転円板形記録媒体の外周の周囲から前記スピンドル軸に向かう空気流を制限する隔壁を有する請求項１５記載の回転円板型記憶装置。
【請求項１９】
前記空気導入ガイドは前記支持部と共に流路を形成する壁を備え、該壁が前記回転円板形記録媒体の外周の周囲から前記スピンドル軸に向かう空気流を制限するように前記翼と前記ヘッド・スタック・アセンブリとの間まで延びている請求項１５記載の回転円板型記憶装置。
【請求項２０】
前記空気導入ガイドがフィルタを有する請求項１５記載の回転円板型記憶装置。
【発明の詳細な説明】
【技術分野】
【０００１】
本発明は、空気流によるヘッドの揺動を抑制するスポイラを採用した磁気ディスク装置や光磁気ディスク装置などの回転円板型記憶装置に関し、特に、スポイラの下流側においてディスク上に流入する塵埃を減らすことができる回転円板型記憶装置に関する。
【背景技術】
【０００２】
回転円板型記憶装置の一例である磁気ディスク装置は、パーソナル・コンピュータやサーバなどのデータ記録装置として使用されている。この磁気ディスク装置は、基板に磁性層が形成された記録面を備えスピンドル軸を中心にして回転するように設けられた円板状の磁気ディスクと、ヘッド・スタック・アセンブリと、磁気ディスクに対するデータの読み書き及びヘッド・スタック・アセンブリの動作を制御する制御ユニットとを備えている。
【０００３】
ヘッド・スタック・アセンブリは、磁気ディスクの記録面に対応するヘッド・ジンバル・アセンブリ、キャリッジ及びピボット・カートリッジから構成され、各ヘッド・ジンバル・アセンブリはキャリッジに設けられたアクチュエータ・アームに固定されている。ヘッド・ジンバル・アセンブリは、磁気ディスクとの間でデータを読み書きする磁気ヘッドが形成され空気軸受面（ＡＢＳ）を提供するスライダを備えている。キャリッジの一部にはコイル・サポートが形成され、このコイル・サポートがボイス・コイルを保持している。ボイス・コイルは、ボイス・コイル・マグネットとボイス・コイル・ヨークで形成される磁界の中に配置され、ボイス・コイル・マグネットとボイス・コイル・ヨークとボイス・コイルはキャリッジを回動させる駆動力を生成するボイス・コイル・モータ（ＶＣＭ）を構成する。ピボット・カートリッジは、キャリッジに設けられた開口に嵌め込まれ、ヘッド・ジンバル・アセンブリは、ピボット・カートリッジの軸であるピボット軸を中心に回動することができるようになっている。
【０００４】
磁気ディスクが回転すると、表面の気流が空気軸受を形成しスライダの空気軸受面に浮力を与えてスライダを磁気ディスク表面からわずかに持ち上げる。ボイス・コイル・モータの駆動力により、スライダは磁気ディスクの表面上からわずかに浮かんだ状態で磁気ディスクのほぼ半径方向にピボット軸を中心に回動して、磁気ヘッドがディスク表面の所定の位置でデータの読み書きをすることができる。
【０００５】
このような磁気ディスク装置は、磁気ディスクに対する磁気記録の高密度化に伴い、磁気ヘッドの位置決め精度の向上が求められている。しかしながら、磁気ディスク表面上を移動するアクチュエータ・アームやヘッド・ジンバル・アセンブリは、磁気ディスクの回転により生じる回転方向の空気流によって揺らされる。アクチュエータ・アームやヘッド・ジンバル・アセンブリが揺らされるとそれが磁気ヘッドに伝達して振動をもたらすいわゆる風乱振動が増加する。風乱振動は、磁気ヘッドの位置決め精度を悪化させる要因の一つになるのでこれを低減する必要がある。この磁気ヘッドの風乱振動を低減するために、磁気ディスクの回転により生じる回転方向の空気流に対してヘッド・スタック・アセンブリの上流側にスポイラを設置した磁気ディスク装置が提案されている（例えば、特許文献１、特許文献２、特許文献３参照。）。このスポイラは、アクチュエータ・アームやヘッド・ジンバル・アセンブリに向かう空気流を弱めて、磁気ヘッドの風乱振動を低減することができる。なお、本明細書中において、「上流側」、「下流側」と言うときは、磁気ディスクの回転により生じる回転方向の空気流の対象部品に対する方向位置を示すものとする。
【０００６】
【特許文献１】特開２００４−２３４７８４号公報
【特許文献２】特開２００２−３１３０６１号公報
【特許文献３】特開２００２−１８４１５４号公報
【特許文献４】特開平６−１１１５６０号公報
【特許文献５】特開２００６−１８９３７号公報
【発明の開示】
【発明が解決しようとする課題】
【０００７】
しかしながら、このような磁気ディスク装置では、高速で回転する磁気ディスクの空気流の中にスポイラの翼が配置されるので、翼の下流側における空気流の圧力が低下して負圧が生じる。空気流に負圧が生じると、その負圧部に磁気ディスクの外周の周囲からスピンドル軸に向かって磁気ディスク表面上へ流入する空気の流れが発生する。磁気ディスクの外周の周囲にはヘッド・スタック・アセンブリやその他の部品が存在するので、比較的多くの付着塵埃や浮遊塵埃が存在する。したがって、磁気ディスクの外周の周囲からスピンドル軸に向かう空気の流れにこれらの塵埃が紛れ込んで磁気ディスクの表面に付着することになる。この塵埃が付着した磁気ディスク表面上を磁気ヘッドが通過すると、磁気ヘッドと磁気ディスクとの間に塵埃を噛み込み、磁気ディスクを損傷させて記録データを消失させたり、磁気ヘッドを損傷させたりしてしまうという難点がある。
【０００８】
このような装置内部に発生する塵埃が磁気ディスク表面上に入り込むことを防ぐ技術が提案されている（例えば、特許文献４、特許文献５参照。）。特許文献４に開示された回転円板型記憶装置は、アームの下流側に負圧が発生しアームの貫通口から塵埃を含む空気が逆流してディスク・パック・ハウジングに入り込むのを、貫通口に阻流手段を設けて当該阻流手段の周囲より圧力の高い領域を形成して防いでいる。なお、アームは磁気ディスクの回転中心に向かって直線移動する構成なので、アームと阻流手段との間隔を常時一定にすることができるので、圧力の高い領域の圧力を安定させ塵埃を含む空気が逆流することを確実に防ぐことができる。しかしながら、アームを回転移動させて磁気ディスク上に記録ヘッドを移動する場合には、アームと阻流手段との間隔を常時一定にすることができないので、圧力の高い領域の圧力が変化して塵埃を含む空気が逆流する虞がある。さらに、磁気ディスクの回転により生じる回転方向の空気流によってアームが揺れて、記録ヘッドの風乱振動が増加する難点がある。
【０００９】
また、特許文献５に開示された磁気ディスク装置は、スピンドル・ハブに空気流路を設け、その空気流路の途中にフィルタを配置したり、シュラウドに静電フィルタを取り付けたりして塵埃を除去している。しかしながら、磁気ヘッドを磁気ディスク上に移動させると、ガイド・アームの下流側に負圧が発生するので、磁気ディスクの外部から磁気ディスク上へ塵埃を含む空気が流入して付着する虞がある。さらに、磁気ディスクの回転により生じる回転方向の空気流によってガイド・アームが揺れて、磁気ヘッドの風乱振動が増加する難点がある。
【００１０】
そこで本発明の目的は、回転円板形記録媒体の回転に伴って発生する空気流によって生じるヘッドの風乱振動をスポイラで抑えると共に、スポイラの下流側において回転円板形記録媒体の外周の周囲からスピンドル軸に向かって流入する塵埃を減らすことができる構造を備えた回転円板型記憶装置を提供することにある。
【課題を解決するための手段】
【００１１】
本発明の第１の態様は、回転円板型記憶装置であって、スピンドル軸を中心にして回転する回転円板形記録媒体と、ピボット軸を中心に回動するヘッド・スタック・アセンブリと、回転円板形記録媒体に対面する翼と該翼の支持部を備え、ヘッド・スタック・アセンブリに対して回転円板形記録媒体の回転に伴う空気流の上流側に配置され、翼は、回転円板形記録媒体の外周側からスピンドル軸に向かって翼幅が狭まるように延びると共に、回転円板形記録媒体の外周に位置する部位において翼幅が回転円板形記録媒体の円周長の２．７％〜２．９％の範囲で形成されたスポイラとを有するものである。さらに好適には、翼は、回転円板形記録媒体の外周側からスピンドル軸に向かって翼幅が狭まるように延びると共に、翼長さが回転円板形記録媒体の外周に位置する部位からスピンドル軸に向かって２／３までの範囲の各部位において、対応する回転円板形記録媒体の円周長に対する翼幅の割合がほぼ一定に形成されたスポイラを備えるものである。特に、この翼は、対応する回転円板形記録媒体の円周長に対する翼幅の割合が２．８％±０．１％である。
【００１２】
この第１の態様によれば、スポイラは選択された翼幅の翼を備えることにより、ヘッド・スタック・アセンブリに当たる空気流の流速を弱めて磁気ヘッドの風乱振動をヘッドの位置制御に支障のない程度まで低減し、同時に翼の下流側に発生する負圧を従来のスポイラの翼より低減することで該下流側に流入する塵埃を減らすことができる。また、スポイラの翼は、回転円板形記録媒体の外周側からスピンドル軸に向かって上流側の端部がほぼ直線で延び下流側の端部が上流側の端部方向に漸次狭まるように延びて形成させると、空気流の流速の抑制機能と翼の下流側に発生する負圧の低減機能とを効果的に両立させることができる。
【００１３】
本発明の第２の態様は、スポイラの下流側と、ヘッド・スタック・アセンブリとの間に回転円板形記録媒体の外周に沿って設けられたフィルタを備える。この第２の態様によれば、スポイラの下流側では翼を通過した空気流が負圧になるため、回転円板形記録媒体の周囲から塵埃を多く含んだ空気がスピンドル軸に向かって流れ込むが、フィルタにそこに含まれた塵埃を除去することができる。さらに好適には、回転円板形記録媒体の外周に沿って配置された隔壁を備えることで、回転円板形記録媒体の周囲から塵埃を多く含んだ空気がスピンドル軸に向かって流れ込むのを阻止する。さらにまた好適には、スポイラの翼を移動可能な構成にして、起動時や停止時などのようにヘッドの位置決め精度が要求されないときには、負圧による塵埃の流入を阻止するために翼を退避させる。この場合、起動時には回転円板形記録媒体の周囲に特に塵埃が多く浮遊しているので、塵埃の流入を効果的に抑制することができる。
【００１４】
また、本発明の第３の態様は、回転円板型記憶装置であって、回転円板形記録媒体と、ピボット軸を中心に回動するヘッド・スタック・アセンブリと、回転円板形記録媒体に対面する翼と該翼の支持部を備え、ヘッド・スタック・アセンブリに対して回転円板形記録媒体の回転に伴う空気流の上流側に配置されたスポイラと、支持部と共に流路を形成し空気流の一部をスポイラの上流側から下流側に導く空気導入ガイドとを有するものである。この第３の態様によれば、空気導入ガイドで塵埃の少ない空気流の一部を、スポイラの翼を通さずにスポイラの上流側から下流側に導くことで、スポイラの翼の下流側に発生する負圧を軽減してスポイラの翼の下流側に流入する塵埃を減らすことができる。
【発明の効果】
【００１５】
本発明により、スポイラをヘッド・スタック・アセンブリの上流側に配置したときにスポイラの下流側において回転円板形記録媒体の外周の周囲からスピンドル軸に向かって流入する塵埃を減らすことができる構造を備えた回転円板型記憶装置を提供することができた。
【発明を実施するための最良の形態】
【００１６】
以下、本発明の回転円板型記憶装置を実施するための最良の形態例について、図面を参照して説明する。本明細書の全体を通じて同一要素には同一参照番号を付す。図１は本発明における一の実施の形態例に係る磁気ディスク装置を示す図で、図１（Ａ）は磁気ディスク装置の概略構成を示す平面図、図１（Ｂ）はスポイラの斜視図、図１（Ｃ）はスポイラの平面図、図１（Ｄ）はスポイラ及びフィルタの斜視図である。図２は図１の磁気ディスク装置における空気流の流路を示す平面図で、図２（Ａ）はスポイラ及び隔壁を使用した磁気ディスク装置における空気流の流路を示す平面図、図２（Ｂ）はスポイラ及びフィルタを使用した磁気ディスク装置における空気流の流路を示す平面図である。
【００１７】
本発明を実施するための最良の一形態である磁気ディスク装置１は図１（Ａ）に示すように、ベース２Ａとベース２Ａの上部を覆うカバー（図示せず）とで形成された清浄な空間を提供するディスク・エンクロージャ２の中に、回転円板形記録媒体である磁気ディスク・スタック３と、ヘッド・スタック・アセンブリ（ＨＳＡ）４とが収納されている。また、ベース２Ａ内にはフレキシブル・ケーブル５及びこのフレキシブル・ケーブル５に装着された外部接続端子６が組み込まれ、この外部接続端子６はディスク・エンクロージャ２の外部に設けられる制御回路基板（図示せず）に接続される。なお、図の簡略化のためにフレキシブル・ケーブル５は一部省略して記載している。
【００１８】
磁気ディスク・スタック３は、１枚又は複数枚の磁気ディスクがベース２Ａの底面に平行に配置され当該ベース２Ａに設けられたスピンドル・モータ（図示せず）のロータ部にねじ止めされており、このスピンドル・モータによりスピンドル軸７を中心にして回転するように構成されている。複数の磁気ディスクが積層される場合には、それらがスピンドル軸７を中心にして一体となって回転できるように、各磁気ディスクがスピンドル・ハブ７０に所定の間隔で取り付けられる。また、磁気ディスクの表面と裏面には記録面が形成されている。なお、本実施例においては、磁気ディスク・スタック３は５枚の磁気ディスクが積層されているものとするが、図１（Ａ）からは一番上の磁気ディスクが説明の便宜上、省略されている。
【００１９】
ＨＳＡ４は、磁気ディスク・スタック３が有する５枚の磁気ディスク３０ａ、３０ｂ、３０ｃ、３０ｄ、３０ｅ（以下、「磁気ディスク３０ａ〜３０ｅ」と称する。）の各記録面に対応する１０本のヘッド・ジンバル・アセンブリ（ＨＧＡ）１０ａ、１０ｂ、１０ｃ、１０ｄ、１０ｅ、１０ｆ、１０ｇ、１０ｈ、１０ｉ、１０ｊ（以下、「ＨＧＡ１０ａ〜１０ｊ」と称する。）と、１つのキャリッジ１１とから構成されている。
【００２０】
ＨＧＡ１０ａ〜１０ｊはそれぞれ、磁気ディスクの記録面との間でデータの読み取り及び書き込みを行う磁気ヘッドと、磁気ヘッドが形成されたスライダと、ピボット動作ができるように柔軟にスライダを支持するフレキシャと、スライダに対して磁気ディスク面に向かう圧力を加えるようにフレキシャを支持するロード・ビーム１２ａ、１２ｂ、１２ｃ、１２ｄ、１２ｅ、１２ｆ、１２ｇ、１２ｈ、１２ｉ、１２ｊ（以下、「ロード・ビーム１２ａ〜１２ｊ」と称する。）とで構成されている。
【００２１】
ロード・ビーム１２ａ〜１２ｊにはそれぞれ、タブ１３ａ〜１３ｊが先端部に突き出した状態に設けられ、このタブ１３ａ〜１３ｊは、ロード・ビーム１２ａ〜１２ｊのアンロード時に、ベース２Ａの磁気ディスク３０ａ〜３０ｅの外側近傍に取り付けられたランプ８に保持される。このランプ８は、磁気ディスク３０ａ〜３０ｅの回転を停止するときにスライダに退避場所を提供するための技法の一つであるロード・アンロード方式で採用される構成要素で、例えば特開平１０−３０２４２１号公報に開示されている。
【００２２】
キャリッジ１１は、磁気ディスク３０ａ〜３０ｅに対応して積層した状態で形成されている６本のアクチュエータ・アーム１１ａ、１１ｂ、１１ｃ、１１ｄ、１１ｅ、１１ｆ（以下、「アクチュエータ・アーム１１ａ〜１１ｆ」と称する。）と、ディスク・エンクロージャ２のベース２Ａ及びカバーで支持されたピボット・カートリッジ１０の軸受部１１１と、ボイス・コイル１１２を保持するコイル・サポート１１３とで構成されている。軸受部１１１には、ピボット軸９を中心にしてアクチュエータ・アーム１１ａ〜１１ｆを回動させるためのピボット・カートリッジ１０が装着されている。また、軸受部１１１の後方にはボイス・コイル１１２と共にボイス・コイル・モータを構成するボイス・コイル・ヨーク１９がベース２Ａに配置されている。ボイス・コイル・ヨーク１９は図の簡略化のために上部が一部を残し省略して記載しているが、ボイス・コイル１１２の上下に所定の空間を持って配置され、上下の内側あるいは下の内側に永久磁石で構成されたボイス・コイル・マグネットが取り付けられて磁場空間を形成している。
【００２３】
アクチュエータ・アーム１１ａにはＨＧＡ１０ａが、アクチュエータ・アーム１１ｆにはＨＧＡ１０ｊがそれぞれ先端部に取り付けられている。また、アクチュエータ・アーム１１ｂにはＨＧＡ１０ｂ、１０ｃが、アクチュエータ・アーム１１ｃにはＨＧＡ１０ｄ、１０ｅが、アクチュエータ・アーム１１ｄにはＨＧＡ１０ｆ、１０ｇが、アクチュエータ・アーム１１ｅにはＨＧＡ１０ｈ、１０ｉがそれぞれ先端部の両面に取り付けられている。
【００２４】
また、ベース２Ａは、周囲壁２１を有すると共に、ＨＳＡ４の動作を妨げない位置において、磁気ディスク３０ａ〜３０ｅの外周を側面から部分的に覆うようにシュラウド１４が設けられている。シュラウド１４は、ランプ８の近傍からボイス・コイル・ヨーク１９の近傍まで、磁気ディスク３０ａ〜３０ｅの外周に対してわずかの隙間を保ちながら形成されている。なお、シュラウド１４のランプ８の近傍はシュラウド１４の上流側となり、シュラウド１４のボイス・コイル・ヨーク１９の近傍はシュラウド１４の下流側となる。
【００２５】
また、ベース２Ａには、ランプ８の上流側にベース２Ａの周囲壁２１に沿って流れる空気流に含まれる塵埃を捕集するリサーキュレーション・フィルタ１８が設けられている。このリサーキュレーション・フィルタ１８はポリプロピレン等の不織布が一般的である。
【００２６】
さらに、ベース２Ａには、磁気ディスク３０ａ〜３０ｅの回転により生じる回転方向の空気流の流速を弱めるために、シュラウド１４の下流側とＨＳＡ４の上流側との間にスポイラ１５が配置されている。具体的には、スポイラ１５は、ＨＳＡ４のコイル・サポート１１３の近傍に位置している。このスポイラ１５は図１（Ｂ）に示すように、４枚の翼１５ａ、１５ｂ、１５ｃ、１５ｄ（以下、「翼１５ａ〜１５ｄ」と称する。）とこれを支持する支持部１６から成り、翼１５ａは磁気ディスク３０ａと磁気ディスク３０ｂとの間、翼１５ｂは磁気ディスク３０ｂと磁気ディスク３０ｃとの間、翼１５ｃは磁気ディスク３０ｃと磁気ディスク３０ｄとの間、翼１５ｄは磁気ディスク３０ｄと磁気ディスク３０ｅとの間にそれぞれ挿入するように積層状態で形成されている。なお、磁気ディスク３０ａの表面及び磁気ディスク３０ｅの裏面にはスポイラの翼を配置しないのは、対面が静止壁であり空気流の流速が低いため翼を設けなくても風乱振動の影響が小さいからである。
【００２７】
また、スポイラ１５の翼１５ａ〜１５ｄは図１（Ｃ）に示すように、磁気ディスク３０ａ〜３０ｅの外周方向からスピンドル軸７方向に向かって翼幅が狭まるように延びて形成されている。翼１５ａ〜１５ｄの翼幅が広いほど空気流の流速抑制効果は大きくなる。しかし、翼幅を広くしすぎると、空気抵抗が大きくなり翼の下流側に発生する負圧がその分だけ大きくなる。その結果風乱振動は抑制できても磁気ディスクの間に流入する塵埃が多くなるため、従来の磁気ディスク装置には、スポイラの装備による弊害がでていた。本実施の形態においては、翼１５ａ〜１５ｄは、翼長さが磁気ディスク３０ａ〜３０ｅの外周に位置する部位３０１からスピンドル軸７方向に向かって２／３の範囲において、翼幅が磁気ディスク３０ａ〜３０ｅの円周長の２、７％〜２．９％の範囲で形成されている。外周に位置する部位３０１における翼幅とは、磁気ディスク３０ａ〜３０ｅの外周の翼１５ａ〜１５ｄに対する垂直投影が、翼１５ａ〜１５ｄの縁と交差する２点間の距離をいう。このように翼１５ａ〜１５ｄの翼幅を選択すると、磁気ヘッドに生ずる風乱振動を軽減すると共に、翼１５ａ〜１５ｄの下流に発生する負圧を軽減して磁気ディスクの表面に塵埃が流入することを防止することができる。なお、スポイラ１５の翼１５ａ〜１５ｄの長さは、磁気ディスク上における半径方向の位置により磁気ディスクの周速が異なるので、その磁気ディスクの周速と磁気ヘッドの位置決め精度との関係で決まる。したがって、要求される位置決め精度が磁気ディスクの半径方向で同一だとすると、磁気ディスクの周速が速いほど翼１５ａ〜１５ｄの長さを長くして内周近辺まで翼が届くようにしなければならない。
【００２８】
また、スポイラ１５の翼１５ａ〜１５ｄは、空気流の抵抗が小さくなるように流線形に形成したり、上流側の前縁１５１を丸みを持った形状に形成したりするとよい。翼１５ａ〜１５ｄを流線形に形成したり、上流側の前縁１５１を丸みを持った形状に形成したりすることで、空気流の圧力変化を緩和することができるので、スポイラ１５の下流側に発生する負圧をさらに低減することが可能になる。
【００２９】
また、スポイラ１５の翼１５ａ〜１５ｄは、表面に凹凸形状を設けてもよい。この凹凸形状は、例えば空気流の流れに直交する方向に筋状で設けると、層流境界層を強制的に乱流境界層に遷移させることができる。さらに、スポイラ１５の下流側において空気流の流速抑制効果に支障が出ない程度の乱流を発生させるには、スポイラ１５の翼１５ａ〜１５ｄの厚みは０．５ｍｍ〜０．６ｍｍなので、凹凸の深さは０．１ｍｍ〜０．２ｍｍが好ましい。このように翼１５ａ〜１５ｄの表面に凹凸形状を設けると、スポイラ１５の下流側の空気流の圧力を高めることができるので、スポイラ１５の下流側に発生する負圧をさらに低減することが可能になる。
【００３０】
また、図１（Ａ）、（Ｂ）に示すように、スポイラ１５の下流側と、ＨＳＡ４の上流側との間に、磁気ディスク３０ａ〜３０ｅの外周の周囲から磁気ディスク３０ａ〜３０ｅを支持するスピンドル軸７の方向へ流入する空気を制限する隔壁１７を、磁気ディスク３０ａ〜３０ｅの外周に沿って配置してもよい。この位置に隔壁１７を配置することで、磁気ディスク３０ａ〜３０ｅの外周の周囲からスポイラ１５の下流側に位置する磁気ディスクの表面上へ流入する空気の流れを制限できる。この隔壁１７は、支持部１６が延長したように支持部１６と一体形成されている。隔壁１７をスポイラ１５の支持部１６と一体形成させることで、部品点数の削減を図れると共に小型化され、部品取付スペースの少ない磁気ディスク装置においても、その小スペースに取付可能となる。
【００３１】
また、図１（Ａ）、（Ｄ）に示すように、スポイラ１５の下流側と、ＨＳＡ４の上流側との間に、空気流に含まれる塵埃を捕集するフィルタ１８を磁気ディスク３０ａ〜３０ｅの外周に沿って配置してもよい。この位置にフィルタ１８を配置することで、磁気ディスク３０ａ〜３０ｅの外周の周囲から磁気ディスクの表面上へ流入する空気に含まれる塵埃を捕集することができる。このフィルタ１８はポリプロピレン等の不織布が好適である。
【００３２】
このように構成された磁気ディスク装置１の内部の空気流について説明する。動作停止状態においては、ロード・ビーム１２ａ〜１２ｊのタブ１３ａ〜１３ｊはランプ８のホーム・ポジションに位置づけられている。ここで、磁気ディスク装置１が起動すると、スピンドル・モータが磁気ディスク３０ａ〜３０ｅを回転させる。ボイス・コイル１６に電流を流してＨＳＡ４を磁気ディスク方向に回転させると、タブがランプ８の摺動面を摺動しながら移動してランプ８から離れる。そして、スライダは磁気ディスクの記録面上に移動し、磁気ディスク３０ａ〜３０ｅの回転により発生した気流が磁気ディスク３０ａ〜３０ｅとスライダとの間に流れ込んで浮上することになる。
【００３３】
この際、図２（Ａ）、（Ｂ）に示すように、磁気ディスク３０ａ〜３０ｅの回転により生じる回転方向の空気流は、シュラウド１４が存在する部分では磁気ディスク３０ａ〜３０ｅの表面上、及び磁気ディスク３０ａ〜３０ｅの外周とシュラウド１４との間を流れる。そして、シュラウド１４の下流側において、一部がベース２Ａの周囲壁２１に沿って流れたり、周囲壁２１と磁気ディスク３０ａ〜３０ｅの外周との間においてＨＳＡ４やボイス・コイル・マグネットなどの隙間を流れたりする。他は磁気ディスク３０ａ〜３０ｅの表面に沿って流れてスポイラ１５の翼１５ａ〜１５ｄを通過する。シュラウド１４が存在する部分において磁気ディスク３０ａ〜３０ｅの表面上を流れる空気流はリサーキュレーション・フィルタ１８により濾過されて塵埃が少ないので、スポイラ１５の翼１５ａ〜１５ｄには塵埃の少ない空気流が通過する。これに対してシュラウド１４の下流側から周囲壁２１と磁気ディスク３０ａ〜３０ｅの外周との間においてＨＳＡ４やボイス・コイル・マグネットなどの隙間を流れる空気流は、塵埃が付着したＨＳＡ４やその他の部品の近傍を流れるので、塵埃が多く含まれることになる。
【００３４】
なお、スポイラ１５は翼１５ａ〜１５ｄの形状に特徴を有しているので、空気抵抗を減らして翼１５ａ〜１５ｄの下流側に発生する負圧を従来のスポイラの翼より低減することができる。したがって、磁気ディスク３０ａ〜３０ｅの外部から磁気ディスクの表面上へ流入する塵埃を多く含む空気の流れを抑制できる。また、図２（Ａ）に示すように、スポイラ１５の翼１５ａ〜１５ｄの下流側と、ＨＳＡ４の上流側との間に磁気ディスク３０ａ〜３０ｅの外周に沿って隔壁１７を配置した場合には、磁気ディスク３０ａ〜３０ｅの外周の周囲からスポイラ１５の翼１５ａ〜１５ｄの下流側に位置する磁気ディスクの表面上へ流入する塵埃を多く含む空気の流れを制限できる。
【００３５】
また、図２（Ｂ）に示すように、スポイラ１５の翼１５ａ〜１５ｄの下流側と、ＨＳＡ４の上流側との間に磁気ディスク３０ａ〜３０ｅの外周に沿ってフィルタ１８を配置した場合には、磁気ディスク３０ａ〜３０ｅの外周の周囲から磁気ディスクの表面上へ流入する塵埃を多く含む空気から塵埃を捕集できる。したがって、スポイラ１５による空気流入の抑制機能と共に、フィルタ１８による塵埃の捕集機能によって塵埃の低減を図ることができる。
【００３６】
また、ベース２Ａの周囲壁２１に沿って流れた空気流及び周囲壁２１と磁気ディスク３０ａ〜３０ｅの外周との間においてＨＳＡ４やボイス・コイル・マグネットなどの隙間を流れた空気流はＨＳＡやその他の部品に付着していた塵埃が多く含まれることになるが、ランプ８の上流側に配置されたリサーキュレーション・フィルタ１８により塵埃が捕集される。したがって、シュラウド１４の上流側から磁気ディスク３０ａ〜３０ｅの外周とシュラウド１４との間や磁気ディスク３０ａ〜３０ｅの表面上に流入する空気流からは塵埃が大幅に低減されている。なお、動作を停止する際には、ボイス・コイル・モータを駆動してＨＳＡ４をランプ方向に回転させてタブ１３ａ〜１３ｊをランプ８のホーム・ポジションまで回転させる。
【００３７】
また、上述した磁気ディスク装置１の実施例においては、スポイラ１５はベース２Ａに固定されていたが、これに限らず、磁気ディスク３０ａ〜３０ｅが停止時又は起動時には磁気ディスク上から退避可能な構造にしてもよい。具体的には翼１５ａ〜１５ｄのみを支持部１６とは独立して回転可能に設けたり、翼１５ａ〜１５ｄを支持部１６と共にベース２Ａに対して回転可能に設ける。回転可能な機構は周知の種々な回転機構が採用できる。磁気ディスク３０ａ〜３０ｅの起動直後のディスク・エンクロージャ２内では、特に磁気ディスク３０ａ〜３０ｅの外部に磁気ディスク３０ａ〜３０ｅの停止時や定常回転時よりも多くの塵埃が浮遊している。この塵埃が磁気ディスク間に流れ込むと、磁気ヘッドや磁気ディスクとの間に塵埃を噛み込み、磁気ディスクを損傷させて記録データを消失させたり、磁気ヘッドを損傷させて出力低下を引き起こしたりすることになる。このため磁気ディスク３０ａ〜３０ｅの起動時には、スポイラ１５を磁気ディスク上から退避させて、起動直後の塵埃の多い空気が磁気ディスク間に流れ込むことを避けることで、磁気ディスク３０ａ〜３０ｅの表面に付着する塵埃を抑えることができる。
【００３８】
また、上述した実施例においては磁気ヘッドの風乱振動を低減すると共に、スポイラ１５の翼１５ａ〜１５ｄの下流側に流入する塵埃を減らすためにスポイラの形状に特徴を持たせたり、隔壁１７を使用したり、さらにフィルタ１８を使用したりした。他の実施例では図３に示すように、シュラウド１４の下流側からスポイラの上流側に流れる空気流の一部を、スポイラの翼を通過させないようにしながら下流側に導いてスポイラの下流側の負圧を軽減する。図３は本発明における他の実施の形態例に係る磁気ディスク装置を示す図で、図３（Ａ）は磁気ディスク装置の概略構成を示す平面図、図３（Ｂ）はスポイラ及び空気導入ガイドの斜視図、図３（Ｃ）は図３（Ｂ）とは異なる方向から見たスポイラ及び空気導入ガイドの斜視図である。なお、図３（Ａ）中、図１（Ａ）と同一参照番号は同一要素なので、説明を省略する。図４は、図３の磁気ディスク装置に使用するスポイラ、空気導入ガイド及びフィルタを示す図で、図４（Ａ）は斜視図、図４（Ｂ）は図４（Ａ）と異なる方向から見た斜視図である。図５は図３の磁気ディスク装置による空気流の流路を示す概略図で、図５（Ａ）はスポイラ及び空気導入ガイドを使用した磁気ディスク装置の平面図、図５（Ｂ）はスポイラ、空気導入ガイド及びフィルタを使用した磁気ディスク装置の平面図である。
【００３９】
本発明を実施するための他の最良の一形態である磁気ディスク装置は図３（Ａ）に示すように、ベース２Ａは、アクチュエータ・アーム１１ａ〜１１ｆやＨＧＡ１０ａ〜１０ｊに当たる空気流の流速を弱めるために、上述した図１に示すスポイラ１５と同様の位置に、スポイラ５１が配置されている。このスポイラ５１の翼は、周知の形状でよく、図３（Ｂ）、（Ｃ）に示すように、４枚の翼５１ａ、５１ｂ、５１ｃ、５１ｄ（以下、「翼５１ａ〜５１ｄ」と称する。）とこれを支持する支持部５２から成る。
【００４０】
また、ベース２Ａは、シュラウド１４の下流側から流れてきた空気流の一部を、スポイラ５１の翼５１ａ〜５１ｄを通さずに翼５１ａ〜５１ｄの上流側から下流側に導く空気導入ガイド５３が、磁気ディスク３０ａ〜３０ｅの外周に沿って設けられている。この空気導入ガイド５３は図３（Ｂ）、（Ｃ）に示すように、スポイラ５１の翼５１ａ〜５１ｄの上流側に向けて配置された空気流の導入口５３ａと、スポイラ５１の下流側に向けて配置された空気流の排出口５３ｂと、スポイラ５１の支持部５２及び壁５３ｃで形成され導入口５３ａと排出口５３ｂとを結ぶ流路５３ｄとから成るものである。このような空気導入ガイド５３は、スポイラ５１の翼５１ａ〜５１ｄの上流側には塵埃の少ない空気流が流れるので、この塵埃の少ない空気流をスポイラ５１の翼５１ａ〜５１ｄの下流側に導くことができる。したがって、スポイラ５１の翼５１ａ〜５１ｄの下流側に発生する負圧を塵埃の少ない空気流を利用して軽減することにより翼５１ａ〜５１ｄの下流側に流入する塵埃を減らすことができる。
【００４１】
また、スポイラ５１の翼５１ａ〜５１ｄの下流側とＨＳＡ４の上流側との間に、磁気ディスク３０ａ〜３０ｅの外周の周囲から磁気ディスクの表面上へ流入する空気を制限する隔壁５４を設けてもよい。この隔壁５４は空気導入ガイド５３の流路５３ｄをスポイラ５１の支持部５２と共に形成する壁５３ｃと一体形成されている。この位置に隔壁５４を配置することで、磁気ディスク３０ａ〜３０ｅの外周の周囲からスポイラ５１の翼５１ａ〜５１ｄの下流側に位置する磁気ディスクの表面上へ流入する空気の流れを制限できる。
【００４２】
また、図４（Ａ）、（Ｂ）に示すように、空気導入ガイド５３を通過してきた空気流の塵埃を捕集するフィルタ５５を空気導入ガイド５３の排出口５３ｂ又は流路５３ｄの一部に設けるとよい。この位置にフィルタ５５を配置することで、空気導入ガイド５３によって導かれた塵埃の少ない空気流からさらに塵埃を捕集することができる。
【００４３】
このようなスポイラ５１、空気導入ガイド５３及び隔壁５４を一体形成させることで、部品点数の削減を図れると共に、小型化され部品取付スペースの少ない磁気ディスク装置においても、その小スペースに取付可能となる。
【００４４】
このように構成された磁気ディスク装置１００における空気流について説明する。動作停止状態においては、ロード・ビーム１２ａ〜１２ｊのタブ１３ａ〜１３ｊはランプ８のホーム・ポジションに位置づけられている。ここで、磁気ディスク装置１００が起動すると、スピンドル・モータが磁気ディスク３０ａ〜３０ｅを回転させる。ボイス・コイル１６に電流を流してＨＳＡ４を磁気ディスク方向に回転させると、タブ１３ａ〜１３ｊがランプ８の摺動面を摺動しながら移動しランプ８から離れる。そして、スライダは磁気ディスク記録面上に移動し、磁気ディスク３０ａ〜３０ｅの回転により発生した気流が磁気ディスク３０ａ〜３０ｅとスライダとの間に流れ込んで形成された空気軸受けを利用して浮上することになる。シュラウド１４が存在する部分の空気流及び周囲壁２１に沿って流れる空気流等の状態は、図２を参照して説明した状態と同じである。
【００４５】
スポイラ５１の翼５１ａ〜５１ｄを通過した空気流は減速されるが、同時に下流側に負圧が発生する。しかしながら、スポイラ５１の翼５１ａ〜５１ｄの上流側の空気流の一部が、空気導入ガイド５３の導入口５３ａに流れ込むので、空気導入ガイド５３の排出口５３ｂからその空気流の一部がスポイラ５１の翼５１ａ〜５１ｄの下流側に流入する。塵埃の少ない空気流が翼５１ａ〜５１ｄの下流側に流入すると、翼５１ａ〜５１ｄの下流側に発生する負圧を軽減すると共に翼５１ａ〜５１ｄの下流側に流入する塵埃を減らすことができる。空気導入ガイド５３に流れる空気流には、シュラウド１４と磁気ディスク３０ａ〜３０ｅの外周の間を流れてきた空気流と、磁気ディスク３０ａ〜３０ｅの外周側表面から外周の外側に流れた空気流が含まれる。
【００４６】
また、図５（Ａ）に示すように、スポイラ５１の翼５１ａ〜５１ｄの下流側と、ＨＳＡ４の上流側との間に隔壁５４を配置した場合には、磁気ディスク３０ａ〜３０ｅの外周の周囲からスポイラ５１の翼５１ａ〜５１ｄの下流側に位置する磁気ディスクの表面上へ流入する空気流を制限できる。この空気流は塵埃を多く含んでいるので、隔壁５４はスポイラ５１の翼５１ａ〜５１ｄの下流側に流入する塵埃を減らすことができる。
【００４７】
また、図５（Ｂ）に示すように、スポイラ５１の翼５１ａ〜５１ｄの下流側と、ＨＳＡ４の上流側との間にフィルタ５５を配置した場合には、磁気ディスク３０ａ〜３０ｅの外周の周囲から磁気ディスクの表面上へ流入する塵埃を多く含む空気から塵埃を捕集できるので、空気導入ガイド５３の塵埃の抑制機能との相互作用でさらに塵埃の低減を図ることができる。
【００４８】
また、周囲壁２１と磁気ディスク３０ａ〜３０ｅの外周との間においてＨＳＡ４やボイス・コイル・マグネットなどの隙間を流れた空気流には、ＨＳＡ４やその他の部品に付着していた塵埃が多く含まれることになるが、ランプ８の上流側に配置されたリサーキュレーション・フィルタ１８により塵埃が捕集される。したがって、シュラウド１４の上流側から磁気ディスク３０ａ〜３０ｅの外周とシュラウド１４との間や磁気ディスク３０ａ〜３０ｅの表面上に流入する空気には塵埃が大幅に低減されている。なお、動作を停止する際には、ボイス・コイル・モータを駆動してＨＳＡ４をランプ方向に回転させてタブ１３ａ〜１３ｊをランプ８のホーム・ポジションまで回転させる。
【００４９】
また、上述した磁気ディスク装置１００の実施例において、図１（Ａ）、（Ｂ）、（Ｃ）、（Ｄ）に示すスポイラ１５の翼１５ａ、１５ｂ、１５ｃ、１５ｄをスポイラ５１に採用すれば、スポイラの下流側に発生する負圧を低減することができるので、空気導入ガイド５２の塵埃の抑制機能との相互作用でさらに塵埃の低減を図ることができる。
【００５０】
また、上述した磁気ディスク装置１００の実施例においては、スポイラ５１はベース２Ａに固定されていたが、これに限らず、磁気ディスク３０ａ〜３０ｅが停止時又は起動時には磁気ディスク上から退避可能な構造にしてもよい。具体的には翼５１ａ〜５１ｄのみを支持部５２とは独立して回転可能に設けたり、翼５１ａ〜５１ｄを支持部５２と共にベース２Ａに対して回転可能に設ける。回転可能な機構は周知の種々な回転機構が採用できる。このような構造にすることで、磁気ディスク装置１と同様に、磁気ディスク３０ａ〜３０ｅの起動時には、スポイラ５１を磁気ディスク上から退避させて、起動直後の塵埃の多い空気が磁気ディスク間に流れ込むことを避けることができる。
【００５１】
ところで、ヘッドの位置決め精度が悪化する要因の１つとしてヘッドとディスク媒体との間の相対的な振れを示すいわゆるディスク・ランアウト（Disk Runout）という現象が知られている。このディスク・ランアウトには、ディスクを回転駆動するスピンドル・モータの回転に同期して繰返し現れる反復性ランアウト（Repeatable Runout：ＲＲＯ）（１次ランアウト）と、当該回転に同期しない非反復性ランアウト（Non-Repeatable Runout：ＮＲＲＯ）とがあり、何れも位置誤差信号ＰＥＳを大きくしてしまう原因となる。
【００５２】
次に、本実施例の形態にかかるスポイラ１５を装備する磁気ディスク装置１、従来のスポイラを装備する磁気ディスク装置、及びスポイラを装備しない磁気ディスク装置を使用して、磁気ディスク表面上の塵埃数及び磁気ディスクのＮＲＲＯについて比較実験を行った結果を説明する。
【００５３】
何れも、３．５型規格（ディスク直径８４ｍｍ、ディスク回転数１０，０００ＲＰＭ）の磁気ディスク装置を使用した。図６は従来の磁気ディスク装置を示す図で、図６（Ａ）は磁気ディスク装置の概略構成を示す平面図、図６（Ｂ）はスポイラの斜視図、図６（Ｃ）はスポイラの平面図である。図７は従来のスポイラ６１を装備した磁気ディスク装置と本実施の形態にかかるスポイラ１５を装備した磁気ディスク装置との比較表である。なお、図７中、半径位置とは磁気ディスクの回転中心から半径方向に向かって測定した距離である。
【００５４】
従来の磁気ディスク装置１０００は図６（Ａ）に示すように、スポイラ６１の形状だけが本発明の磁気ディスク装置１と異なり、図１（Ａ）と同一参照番号は同一要素なので、説明を省略する。このスポイラ６１は本発明の磁気ディスク装置１と同様に、シュラウド１４の下流側とＨＳＡ４の上流側との間に配置されている。具体的には、ＨＳＡ４のコイル・サポート１１３の近傍に位置している。このスポイラ６１は図６（Ｂ）に示すように、４枚の翼６１ａ、６１ｂ、６１ｃ、６１ｄ（以下、「翼６１ａ〜６１ｄ」と称する。）から成り、翼６１ａは磁気ディスク３０ａと磁気ディスク３０ｂとの間、翼６１ｂは磁気ディスク３０ｂと磁気ディスク３０ｃとの間、翼６１ｃは磁気ディスク３０ｃと磁気ディスク３０ｄとの間、翼６１ｄは磁気ディスク３０ｄと磁気ディスク３０ｅとの間にそれぞれ挿入するように積層状態で形成されている。
【００５５】
また、スポイラ６１の翼６１ａ〜６１ｄは図６（Ｃ）に示すように、磁気ディスク３０ａ〜３０ｅの外周方向からスピンドル軸７方向に向かって翼の幅が狭まるように延びて形成されている。具体的には図７に示すように、磁気ディスク３０ａ〜３０ｅの半径位置４２ｍｍのディスク円周長に対する翼６１ａ〜６１ｄの翼幅の割合（Ｄ／Ｃ）が４．６％、半径位置３７ｍｍのディスク円周長では４．０％、半径位置３２ｍｍのディスク円周長では３．０％、半径位置２７ｍｍのディスク円周長では１．５％となっており、翼６１ａ〜６１ｄの平面形状は、頂点が半径位置２６ｍｍから成る三角形である。このように磁気ディスクの外周に往くほどＤ／Ｃが大きくなるのは、磁気ディスクの外周が一番周速が速いために空気流の流速が速くなるからで、Ｄ／Ｃが大きいほど空気流を減速させることができる。
【００５６】
一方、本発明の磁気ディスク装置１で使用するスポイラ１５は図７に示すように、磁気ディスク３０ａ〜３０ｅの半径位置４２ｍｍ（翼１５ａ〜１５ｄの磁気ディスク３０ａ〜３０ｅの外周に位置する部位３０１）のディスク円周長に対する翼１５ａ〜１５ｄの翼幅の割合（Ｄ／Ｃ）が２．７％、半径位置３７ｍｍのディスク円周長では２．８％、半径位置３２ｍｍのディスク円周長では２．９％、半径位置２７ｍｍのディスク円周長では１．６％で、頂点は半径位置２６ｍｍに置かれている。半径位置４２ｍｍから半径位置３２ｍｍまでの翼長さは、半径位置４２ｍｍから頂点までの長さの２／３であり、スポイラ１５の翼幅はこの範囲において、対応するディスク円周長に対する翼幅の割合（Ｄ／Ｃ）が２．７％〜２．９％と２．８％を基準としてほぼ一定であって、その公差は±０．１の範囲になるように形成されている。さらに、スポイラ１５の翼１５ａ〜１５ｄは、磁気ディスク３０ａ〜３０ｅの外周の周囲からスピンドル軸７方向に向かって上流側の端部がほぼ直線で延び下流側の端部が上流側の端部方向に漸次狭まるように延びて形成されている。
【００５７】
まず、磁気ディスク上の塵埃数の測定方法について説明する。磁気ディスク上の塵埃数を測定する測定装置は、横河電機株式会社のガス分析計であるウェハサンプラ（ＷＳ１０００）を使用した。塵埃のサンプルとして、０．５μｍ／０．０５ｍｇの酸化アルミニウム（Ａｌ2Ｏ3）を使用した。
【００５８】
測定手順は、
（１）磁気ディスク装置のディスク・エンクロージャ２のカバーを取り外す。
（２）磁気ディスクをクランプするディスク・クランプの表面上に、粒径が０．５μｍの酸化アルミニウム粉末を０．０５ｍｇだけ置く。
（３）磁気ディスク装置のディスク・エンクロージャ２のカバーを取り付ける。
（４）磁気ディスク３０ａ〜３０ｅの回転数を１０ｋｒｐｍで３分間回転させる。この際、磁気ヘッドはアンロード状態にする。
（５）磁気ディスク３０ａ〜３０ｅの回転を停止後、磁気ディスク装置のディスク・エンクロージャ２のカバーを取り外し、磁気ディスク３０ａ〜３０ｅを分解する。
（６）個々の磁気ディスクの表面、裏面の特定位置にエアを吹き付けて、舞い上がった酸化アルミニウムを吸引器で吸い取る。この際、分解した磁気ディスクはそれぞれ専用治具上で回転させておく。吸引器で吸い取った酸化アルミニウムを、ウェハサンプラ（ＷＳ１０００）で計測する。
【００５９】
酸化アルミニウムの粒子数の計測は図８（Ａ）、（Ｂ）、（Ｃ）に示すように、磁気ディスクの所定の半径位置ごとに行った。図８（Ａ）はスポイラを装備しない磁気ディスク装置、図８（Ｂ）は従来のスポイラ６１を装備した磁気ディスク装置、図８（Ｃ）は本実施の形態にかかるスポイラ１５を装備した磁気ディスク装置のデータである。なお、何れのスポイラも単一の磁気ディスク装置に装備して計測している。また、何れのデータも最上位から２番目に位置する磁気ディスク３０ｂの表面に関するものを計測の例示として示してある。
【００６０】
酸化アルミニウムの粒子数の計測結果を図９に示す。図９の１Ａ、１Ｂは最上位に位置する磁気ディスク３０ａ、２Ａ、２Ｂは最上位から２番目に位置する磁気ディスク３０ｂ、３Ａ、３Ｂは最上位から３番目に位置する磁気ディスク３０ｃ、４Ａ、４Ｂは最上位から４番目に位置する磁気ディスク３０ｄ、５Ａ、５Ｂは最下位に位置する磁気ディスク３０ｅで、Ａは磁気ディスクの表面、Ｂは磁気ディスクの裏面を示す。計測結果を見ると、スポイラを装備しない磁気ディスク装置では、すべての磁気ディスクの表裏面に付着した酸化アルミニウムの合計粒子数が５８９５３個、従来のスポイラ６１を装備した磁気ディスク装置では、すべての磁気ディスクの表裏面に付着した酸化アルミニウムの合計粒子数が１７６１１６個、本実施の形態にかかるスポイラ１５を装備した磁気ディスク装置では、すべての磁気ディスクの表裏面に付着した酸化アルミニウムの合計粒子数が１２２８２０個であった。
【００６１】
この測定結果から、スポイラ１５を装備した磁気ディスク装置は、酸化アルミニウムの合計数がスポイラを装備しない磁気ディスク装置より多いが、スポイラ６１を装備した磁気ディスク装置より少ないことがわかった。したがって、スポイラ１５はスポイラ６１より塵埃を低減できることが確認できた。
【００６２】
次に、磁気ディスクのＮＲＲＯの測定方法について説明する。磁気ディスクのＮＲＲＯは、ＨＳＡの１０本のＨＧＡが備えた磁気ヘッドからの信号を信号処理して求める。なお、磁気ヘッドが磁気ディスクの最外周に位置する時に計測を行っている。
【００６３】
図１０はスポイラを装備しない磁気ディスク装置と本実施の形態にかかるスポイラ１５を装備した磁気ディスク装置とをＮＲＲＯの値で比較したグラフで、縦軸がＮＲＲＯ[６σｎｍ]の値、横軸が０〜９までが１０個の磁気ヘッド、１０が１０個の磁気ヘッドの平均値を示す。実線がスポイラを装備しない磁気ディスク装置の値、点線がスポイラ１５を装備した磁気ディスク装置の値を示し、それぞれ測定サンプルは４種類である。なお、位置決め精度を維持するためには、ＮＲＲＯが５８[６σｎｍ]より小さい値である必要がある。
【００６４】
この図１０に示すグラフからわかるように、スポイラを装備しない磁気ディスク装置はＮＲＲＯが５８[６σｎｍ]以上になる磁気ヘッドが複数あるが、スポイラ１５を装備した磁気ディスク装置ではすべての磁気ヘッドが５８[６σｎｍ]より小さくなる。したがって、スポイラ１５を装備した磁気ディスク装置は磁気ヘッドの位置決め精度が許容できる範囲にあることがわかった。
【００６５】
図１１は従来のスポイラ６１を装備した磁気ディスク装置と本実施の形態にかかるスポイラ１５を装備した磁気ディスク装置とをＮＲＲＯの値で比較したグラフで、縦軸がＮＲＲＯ[６σｎｍ]の値、横軸が０〜９までが１０個の磁気ヘッド、１０が１０個の磁気ヘッドの平均値を示す。実線がスポイラ１５を装備した本発明の磁気ディスク装置の値、点線がスポイラ６１を装備した磁気ディスク装置の値を示し、それぞれ測定サンプルは２種類である。
【００６６】
この図１１に示すグラフからわかるように、何れの磁気ディスク装置もすべての磁気ヘッドもＮＲＲＯが５８[６σｎｍ]より小さくなるので、スポイラ１５を装備した磁気ディスク装置はスポイラ６１を装備した磁気ディスク装置と同程度に、磁気ヘッドの風乱振動を低減する作用を発揮することがわかった。
【００６７】
したがって、本実施の形態にかかるスポイラ１５を装備した磁気ディスク装置は、空気流の流速の抑制機能と翼の下流側に発生する負圧の低減機能とを効果的に両立させることができることが確認できた。
【００６８】
これまで本発明について図面に示した特定の実施の形態をもって説明してきたが、本発明は図面に示したこれらの実施の形態に限定されるものではなく、本発明の効果を奏する限りこれまで知られたいかなる構成であっても採用することができることはいうまでもないことである。
【図面の簡単な説明】
【００６９】
【図１】本発明の回転円板型記憶装置の最良な実施の一形態に係る磁気ディスク装置を示す説明図である。
【図２】図１の磁気ディスク装置による空気流の流路を示す概略図である。
【図３】本発明の回転円板型記憶装置の他の最良な実施の一形態に係る磁気ディスク装置を示す説明図である。
【図４】図３の磁気ディスク装置に使用するスポイラ、空気導入ガイド及びフィルタを示す説明図である。
【図５】図３の磁気ディスク装置による空気流の流路を示す概略図である。
【図６】従来の磁気ディスク装置を示す説明図である。
【図７】本発明のスポイラを装備した磁気ディスク装置と従来のスポイラを装備した磁気ディスク装置の定義項目を示す図である。
【図８】スポイラを装備しない磁気ディスク装置、従来のスポイラを装備した磁気ディスク装置及び本発明のスポイラを装備した磁気ディスク装置の所定の磁気ディスクから捕集した塵埃サンプルの計測結果をグラフで示す図である。
【図９】スポイラを装備しない磁気ディスク装置、従来のスポイラを装備した磁気ディスク装置及び本発明のスポイラを装備した磁気ディスク装置の磁気ディスクから捕集した塵埃サンプルの計測結果を示す図である。
【図１０】スポイラを装備しない磁気ディスク装置と本発明のスポイラを装備した磁気ディスク装置とをＮＲＲＯで比較したグラフを示す図である。
【図１１】本発明のスポイラを装備した磁気ディスク装置と従来のスポイラを装備した磁気ディスク装置とをＮＲＲＯで比較したグラフを示す図である。
【符号の説明】
【００７０】
１、１００……磁気ディスク装置
２……ディスク・エンクロージャ
３……磁気ディスク・スタック
３０ａ〜３０ｅ……磁気ディスク
４……ヘッド・スタック・アセンブリ（ＨＳＡ）
７……スピンドル軸
９……ピボット軸
１４……シュラウド
１５、５１……スポイラ
１５ａ〜１５ｄ、５１ａ〜５１ｄ……翼
１６、５２……支持部
１７、５４……隔壁
１８、５５……フィルタ
５３……空気導入ガイド
５３ａ……空気流の導入口
５３ｂ……空気流の排出口
５３ｄ……流路
【図１】
2008077700.tif 000003
【図２】
2008077700.tif 000004
【図３】
2008077700.tif 000005
【図４】
2008077700.tif 000006
【図５】
2008077700.tif 000007
【図６】
2008077700.tif 000008
【図７】
2008077700.tif 000009
【図８】
2008077700.tif 000010
【図９】
2008077700.tif 000011
【図１０】
2008077700.tif 000012
【図１１】
2008077700.tif 000013